(57)【要約】【課題】  部品点数を削減して製造コストを低減させることができるとともに、塵埃の堆積を警告することができ、安全性に優れる塵埃検知機能付き電気機器の提供を課題とする。【解決手段】  リ−ルの回転を検知するリ−ルセンサ５０を構成する発光部である赤外線ＬＥＤ５０ａからの赤外線を、塵埃検知センサ５５を構成する第１の受光部であるフォトトランジスタ５５ｂに導く導光部８０が設けられており、導光部８０によりフォトトランジスタ５５ｂに導かれる赤外線が堆積した塵埃により遮断されたときに、所定の警告を行うように構成されている。【選択図】  図３
2006191364.tif 000002
【特許請求の範囲】
【請求項１】
ビデオテ−プを走行させるリ−ルの回転検知を行うリ−ルセンサを具備するビデオ一体型テレビジョン装置において、
赤外線を受光する第１の受光部が所定位置に配設され、
上記第１の受光部が赤外線を受光したことを検知する検知手段と、
リ−ルセンサを構成する発光部から発せられる赤外線を上記第１の受光部、および、上記リ−ルセンサを構成する第２の受光部に導く導光部と、
上記検知手段の検知結果に基づいて、内部に塵埃が堆積していることを報知する塵埃堆積警告手段と、
上記塵埃堆積警告手段による報知が行われてから、所定期間が経過したことを受けて、本体の電源を入らないようにする電源制御手段と、
上記電源制御手段の制御により本体の電源が入らなくなるまでの間に、同制御が行われる旨を予告する予告手段と
を具備することを特徴とするビデオ一体型テレビジョン装置。
【請求項２】
内部に赤外線の発光部を有する塵埃検知機能付き電気機器において、
赤外線を受光する第１の受光部が所定位置に配設され、
上記第１の受光部が赤外線を受光したことを検知する検知手段と、
上記発光部から発せられた赤外線を上記第１の受光部に導く導光部と、
上記検知手段の検知結果に基づいて、内部に塵埃が堆積していることを報知する塵埃堆積警告手段と
を具備することを特徴とする塵埃検知機能付き電気機器。
【請求項３】
上記第１の受光部は、上方からの赤外線を受光するように上を向いて配設されており、
赤外線を透過する材質で形成され、その上部に塵埃が堆積される塵埃堆積シ−トが上記第１の受光部の上方に配設されていることを特徴とする請求項２に記載の塵埃検知機能付き電気機器。
【請求項４】
ビデオテ−プに記録された映像信号の読み出しを行うビデオ再生部を具備するビデオ一体型テレビジョン装置であり、
上記発光部は、上記ビデオ再生部における状態検知を行う状態検知センサを構成することを特徴とする請求項２または３に記載の塵埃検知機能付き電気機器。
【請求項５】
上記状態検知センサは、ビデオテープを走行させるリ−ルの回転検知を行うことを特徴とする請求項４に記載の塵埃検知機能付き電気機器。
【請求項６】
上記状態検知センサは、上記発光部からの赤外線を受光する第２の受光部を具備しており、
上記導光部は、上記発光部から発せられた赤外線を上記第１の受光部および上記第２の受光部に導くことを特徴とする請求項４または５に記載の塵埃検知機能付き電気機器。
【請求項７】
上記塵埃堆積警告手段による報知が行われてから、所定期間が経過したことを受けて、本体の電源を入らないようにする電源制御手段を具備することを特徴とする請求項２〜６のいずれかに記載の塵埃検知機能付き電気機器。
【請求項８】
上記電源制御手段の制御により本体の電源が入らなくなるまでの間に、同制御が行われる旨を予告する予告手段を具備することを特徴とする請求項７に記載の塵埃検知機能付き電気機器。
【発明の詳細な説明】
【技術分野】
【０００１】
本発明は、塵埃の堆積を報知する塵埃検知機能付き電気機器に関し、特に、同機能が付加されたビデオ一体型テレビジョン装置に関するものである。
【背景技術】
【０００２】
従来、温度の上昇し易いブラウン管や電源回路等の近傍に赤外線センサを配設し、同赤外線センサにて堆積した塵埃を検知するとともに、同堆積した塵埃に起因して発火に至る危険を警告する機能を備えたビデオ一体型テレビジョン装置が知られている（例えば、特許文献１参照）。このようなビデオ一体型テレビジョン装置によれば、発火の危険性があるときには、その旨が報知されるため、利用者は、業者に装置内部の清掃を依頼する等の対策を講じることが可能となる。
【特許文献１】特開平１１−２０１７２６号公報
【発明の開示】
【発明が解決しようとする課題】
【０００３】
しかしながら、上述したビデオ一体型テレビジョン装置では、赤外線の発光部と受光部とを具備する赤外線センサを、発火の危険性のある部位毎に配設するものであり、部品点数が多くなってしまうという問題があった。
【０００４】
本発明は、上記課題にかんがみてなされたものであり、部品点数を削減して製造コストを低減させることができるとともに、塵埃の堆積を警告することができ、安全性に優れる塵埃検知機能付き電気機器を提供することを目的とする。
【課題を解決するための手段】
【０００５】
上記目的を達成するため、請求項２にかかる発明は、内部に赤外線の発光部を有する塵埃検知機能付き電気機器において、
赤外線を受光する第１の受光部が所定位置に配設され、
上記第１の受光部が赤外線を受光したことを検知する検知手段と、
上記発光部から発せられた赤外線を上記第１の受光部に導く導光部と、
上記検知手段の検知結果に基づいて、内部に塵埃が堆積していることを報知する塵埃堆積警告手段とを具備する構成としてある。
【０００６】
上記のように構成した請求項２において、塵埃検知機能付き電気機器は、内部に赤外線の発光部を有している。この発光部としては特に限定されないが、例えば、各種の状態検知を行うための赤外線センサを構成する発光部を挙げることができる。例えば、ビデオデッキやビデオ一体型テレビジョン装置においては、ビデオテ−プの終端を検知する赤外線センサ、ビデオテ−プを走行させるためのリ−ルの回転検知を行う赤外線センサ、ビデオテ−プの挿入を検知する赤外線センサ、および、ビデオテ−プに対して映像信号の録再を行うヘッドシリンダの回転を検知する赤外線センサを構成する発光部を挙げることができる。
【０００７】
また、塵埃検知機能付き電気機器は、赤外線を受光する第１の受光部が所定位置に設置され、同第１の受光部が赤外線を受光したことを検知する検知手段と、上記発光部から発せられた赤外線を上記第１の受光部に導く導光部と、上記検知手段の検知結果に基づいて、内部に塵埃が堆積していることを報知する塵埃堆積警告手段とを具備している。すなわち、塵埃の堆積を検知するための第１の受光部および検知手段のみを具備するとともに、発光部として、上述した状態検知を行う際等に用いられる赤外線センサの発光部を兼用し、同発光部から発せられた赤外線を上記第１の受光部に導く導光部を設置するのである。そして、上記導光部により上記第１の発光部に導かれる赤外線が塵埃により遮断されたことを検知手段が検知したときには、内部に塵埃が堆積していることを報知報知するのである。このように構成することにより、電気機器における内部の状態検知を行うための赤外線センサの発光部を、塵埃の堆積を検知するセンサにおける発光部として兼用することが可能となるため、部品点数の削減に繋がり、製造コストを低減させることが可能となるとともに、塵埃の堆積を報知することができ、安全性に優れる塵埃検知機能付き電気機器を提供することが可能となる。
【０００８】
また、請求項３にかかる発明は、上記第１の受光部は、上方からの赤外線を受光するように上を向いて配設されており、
赤外線を通過する材質で形成され、その上部に塵埃が堆積される塵埃堆積シ−トが上記第１の受光部の上方に配設されている構成としてある。
上記のように構成した請求項３において、塵埃堆積シ−ト上に塵埃を堆積させることが可能となる。
【０００９】
また、請求項４にかかる発明は、ビデオテ−プに記録された映像信号の読み出しを行うビデオ再生部を具備するビデオ一体型テレビジョン装置であり、
上記発光部は、上記ビデオ再生部における状態検知を行う状態検知センサを構成するものとしてある。
上記のように構成した請求項４において、ビデオ再生部における状態検知を行う状態センサ、例えば、ビデオテ−プの終端を検知する赤外線センサ、ビデオテ−プの挿入を検知する赤外線センサ、および、ビデオテ−プに対して映像信号の録再を行うヘッドシリンダの回転を検知する赤外線センサ等を構成する発光部を、塵埃の堆積を検知するためのセンサとして兼用することが可能となる。
【００１０】
さらに、請求項５にかかる発明は、上記状態検出センサが、ビデオテープを走行させるリ−ルの回転検知を行う構成としてある。
上記のように構成した請求項５において、ビデオテ−プを走行させるためのリ−ルの回転検知を行う状態検知センサを構成する発光部を、塵埃の堆積を検知するためのセンサとして兼用することが可能となる。なお、上記リ−ルは、テ−クアップリ−ルとサプライリ−ルとのいずれであってもよい。
【００１１】
さらに、請求項６にかかる発明は、上記状態検知センサが、上記発光部からの赤外線を受光する第２の受光部を具備しており、
上記受光部は、上記発光部から発せられた赤外線を上記第１の受光部および上記第２の受光部に導く構成としてある。
上記のように構成した請求項６において、上記導光部により、発光部から発せられた赤外線を、上記第１の受光部および上記第２の受光部の両方に導くことが可能となる。例えば、上記状態検知センサを構成する発光部から発せられた光を、同状態検知センサを構成する受光部（第２の受光部）、および、塵埃の堆積を検知するためのセンサを構成する受光部（第１の受光部）の両方に導くことが可能となる。
【００１２】
さらに、請求項７にかかる発明は、上記塵埃堆積警告手段による報知が行われてから、所定期間が経過したことを受けて、本体の電源を入らないようにする電源制御手段を具備する構成としてある。
上記のように構成した請求項７において、塵埃が堆積している状態で使用を続けることによる発火の発生を防止することが可能となる。
【００１３】
さらに、請求項８にかかる発明は、上記電源制御手段の制御により本体の電源が入らなくなるまでの間に、同制御が行われる旨を予告する予告手段を具備する構成としてある。
上記のように構成した請求項８において、塵埃の堆積が原因で安全措置により電源が入らなくなることを予め認識しておくことが可能となる。
【発明の効果】
【００１４】
以上説明したように請求項２にかかる発明によれば、製造コストを低減させることが可能となるとともに、塵埃の堆積を報知することができ、安全性に優れる塵埃検知機能付き電気機器を提供することが可能となる。
また、請求項３にかかる発明によれば、塵埃堆積シ−ト上に塵埃を堆積させることが可能となる。
さらに、請求項４にかかる発明によれば、ビデオ再生部における状態検知を行う状態センサを構成する発光部を、塵埃の堆積を検知するためのセンサとして兼用することが可能となる。
さらに、請求項５にかかる発明によれば、ビデオテ−プを走行させるリ−ルの回転検知を行う状態検知センサを構成する発光部を、塵埃の堆積を検知するためのセンサとして兼用することが可能となる。
さらに、請求項６にかかる発明によれば、上記導光部により、発光部から発せられた赤外線を、上記第１の受光部および上記第２の受光部の両方に導くことが可能となる。
さらに、請求項７にかかる発明によれば、塵埃が堆積している状態で使用を続けることによる発火の発生を防止することが可能となる。
さらに、請求項８にかかる発明によれば、塵埃の堆積が原因で安全措置により電源が入らなくなることを予め認識しておくことが可能となる。
【発明を実施するための最良の形態】
【００１５】
以下、下記の順序に従って本発明の実施形態を説明する。
（１）ビデオ一体型テレビジョン装置の外観：
（２）ビデオ一体型テレビジョン装置の内部構成：
（３）塵埃検知センサおよび導光部の配置位置：
（４）ビデオ一体型テレビジョン装置の動作：
（５）各種変形例：
（６）まとめ：
【００１６】
（１）ビデオ一体型テレビジョン装置の外観：
以下、図面に基づいて本発明の実施形態を説明する。
図１は、実施形態にかかるビデオ一体型テレビジョン装置の外観図である。同図において、ビデオ一体型テレビジョン装置１０は、受信したテレビジョン放送信号に基づく映像、および、ビデオテ−プの再生映像を表示させるためのディスプレイ１１を具備している。このディスプレイ１１は、ブラウン管からなるものであるが、液晶表示器やＰＤＰ表示器からなるものであってもよい。また、ディスプレイ１１の下側には、ビデオテ−プの挿入口１２が設けられており、その下側には、受信チャンネルの選択、ビデオテ−プの再生、巻き戻し、早送り等の操作を行う操作パネル部１３が設けられている。
【００１７】
（２）ビデオ一体型テレビジョン装置の内部構成：
図２は、実施形態にかかるビデオ一体型テレビジョン装置の内部構成を示すブロック図である。同図において、ビデオ一体型テレビジョン装置１０は、チュ−ナ２０を備えており、マイコン３０から送出される所定の選局信号に基づいて所望の放送局からのテレビジョン放送電波が受信される。このチュ−ナ２０は、信号系回路４０と接続されており、受信されたテレビジョン放送電波に基づくテレビジョン信号は、信号系回路４０に入力される。ビデオ記録時には、信号系回路４０は、入力テレビジョン信号を輝度信号と搬送色信号に分離し、これらの信号にはＦＭ変調と低域変換が施され、両者が混合・増幅されて後述するヘッド系回路５０に出力される。信号系回路４０は、Ｄ／Ａ変換回路４１を備えており、入力されるデジタル信号をアナログ信号に変換してヘッド系回路６０に出力する。また、音声信号に関しては、オ−ディオヘッドからの再生信号を再生処理して出力している。信号系回路４０にて処理が施された映像信号は、ディスプレイ１１に供給され、また、信号系回路４０にて処理が施された音声信号は、スピ−カ１４に供給される。
【００１８】
ヘッド系回路６０は、図示しないビデオヘッドやオ−ディオヘッド、コントロ−ルヘッド等からなる磁気ヘッド群と、同磁気ヘッド群の周辺装置にて構成される。この周辺装置には、ビデオヘッドが配設されるシリンダや、同シリンダを回転駆動するためのシリンダモ−タ等が含まれる。上述のようにＤ／Ａ変換回路４１が出力する音声信号は、ヘッド系回路６０のオ−ディオヘッドに入力され、同音声信号に基づく音声を再生可能な状態で音声トラックに書き込まれる。テ−プ駆動系回路７０は、実際にテ−プを走行駆動するリ−ルモ−タやキャプスタンモ−タ等にて構成され、同リ−ルモ−タやキャプスタンモ−タおよび上述したシリンダモ−タは、サ−ボ系回路８０により駆動制御される。
【００１９】
マイコン３０には、リ−ルセンサ５０が接続されている。このリ−ルセンサ５０は、上述したリ−ルモ−タにより駆動され、ビデオテ−プを走行させるためのリ−ル（テ−クアップリ−ルまたはサプライリ−ル）の回転検知を行うためのものである。このリ−ルセンサ５０は、赤外線を発する赤外線ＬＥＤ５０ａと、赤外線ＬＥＤ５０ａからの赤外線を受光することにより電流が流れるフォトトランジスタ５０ｂとからなる。なお、赤外線ＬＥＤ５０ａは、上記発光部を構成するものであり、また、フォトトランジスタ５０ｂは、上記第２の受光部を構成するものである。また、マイコン３０には、塵埃検知センサ５５が接続されている。この塵埃検知センサ５５は、上記第１の受光部であるフォトトランジスタ５５ｂのみから構成されており、このフォトトランジスタ５５ｂに赤外線を供給する発光部を具備していない。後に詳述するが、フォトトランジスタ５５ｂには、リ−ルセンサ５０を構成する赤外線ＬＥＤ５０ａからの赤外線が供給されるのである。すなわち、上述した赤外線ＬＥＤ５０ａは、リ−ルセンサ５０と塵埃検知センサ５５とに兼用されるのである。そして、堆積した塵埃によりフォトトランジスタ５５ｂに入光する赤外線の光量が低下すると、流れる電流量も低下する。そして、マイコン３０がフォトトランジスタ５５ｂに流れる電流量を検出し、その検出結果に基づいて、内部に塵埃が堆積していることを報知するのである。
【００２０】
図１に示した操作パネル１３と、リモコン５３とを介して操作指示することにより、ビデオ記録／再生や、予約記録時間帯の入力といった各種の処理を行うことが可能である。すなわち、操作パネル１３における操作内容はマイコン３０によって検出され、マイコン３０が上記チューナ２０の選局制御を行ったり、サーボ系回路８０を駆動して頭出しなどを制御する。また、利用者がリモコン５３上の操作ボタンを押し下げると、押し下げられた操作ボタンに応じた赤外線リモコン信号が送出される。そして、この赤外線リモコン信号をマイコン３０が図示しないリモコン信号受光部を介して受信するとともにその操作内容を検知し、対応した処理を実行する。
【００２１】
マイコン３０は、上述のように操作パネル１１、チューナ２０、信号系回路４０、サーボ系回路８０等を制御するようになっており、ＣＰＵ３１とＥＥＰＲＯＭ３２およびＲＡＭ３３とからなるプログラム実行環境を備えている。すなわち、ＲＡＭ３３を一時的なワ−クエリアとして使用しつつ、ＥＥＰＲＯＭ３２に記録されたプログラムを実行するようになっている。また、ＥＥＰＲＯＭ２３には、塵埃堆積警告画像デ−タ３２ａ、および、電源オフ予告画像デ−タ３２ｂが記憶されている。塵埃堆積警告画像デ−タ３２ａは、ビデオ一体型テレビジョン装置１０内部に塵埃が堆積していることを報知する旨の画像をディスプレイ１１に表示させるためのデ−タであり、塵埃検知センサ５５により塵埃の堆積が検知されたことを受けて表示されるものである。一方、電源オフ予告画像デ−タ３２ｂは、塵埃が堆積した状態が所定期間（例えば、１ヶ月間）継続したことを受けて、本体の電源をオンにすることができなくなる制御が行われる所定期間前に、そのことを予告する画像をディスプレイ１１に表示させるためのデ−タである。
【００２２】
（３）塵埃検知センサおよび導光部の配置位置：
図３は、赤外線ＬＥＤ５０ａ、フォトトランジスタ５０ｂおよびフォトトランジスタ５５ｂが基板上に配置されている様子を示す斜視図である。同図において、基板Ｂの右下側には、リ−ルセンサ５０の受光部であるフォトトランジスタ５０ｂが設置されており、また、フォトトランジスタ５０ｂの左側には、塵埃検知センサ５５のフォトトランジスタ５５ｂが設置されている。さらに、フォトトランジスタ５０ｂとフォトトランジスタ５５ｂとを結ぶ線の中心部よりも奥側にはリ−ルセンサ５０の赤外線ＬＥＤ５０ａが配置されている。
【００２３】
また、基板Ｂ上には、赤外線ＬＥＤ５０ａからの赤外線をフォトトランジスタ５０ｂとフォトトランジスタ５５ｂとの両方に導くための導光部８０が設けられている。この導光部８０は内部を赤外線が通過可能な部材からなり、赤外線ＬＥＤ５０ａの上側から直上に延びる柱部８１と、柱部８１から右側のフォトトランジスタ５０ｂに延びる第１の導光片８２と、柱部８１から左側のフォトトランジスタ５５ｂに延びる第２の導光片８３とから構成されている。なお、柱部８１、第１の導光片８２および第２の導光片８３は、一体的に成形されている。
【００２４】
赤外線ＬＥＤ５０ａから上方に発せられた赤外線は、柱部８１の内部を通って、第１の導光片８２および第２の導光片８３にそれぞれ分岐し、リ−ルセンサ５０のフォトトランジスタ５０ｂ、塵埃検知センサ５５のフォトトランジスタ５５ｂにそれぞれ導かれる。すなわち、この導光部８０を設置することにより、１つの赤外線ＬＥＤ５０ａから発せられる赤外線を、２つのフォトトランジスタ５０ａ、５５ｂに導くことができるのである。これにより、リ−ルセンサ５０の発光部である赤外線ＬＥＤ５０ａを、塵埃検知センサ５５の発光部として兼用することができるのである。
【００２５】
また、塵埃検知センサ５５のフォトトランジスタ５５ｂには、赤外線を透過可能なフィルムからなる塵埃堆積シ−ト５７が載置されている。図４は、フォトトランジスタ５５ｂおよびフォトトランジスタ５５ｂに載置されている塵埃堆積シ−ト５７を示す図である。この塵埃堆積シ−ト５７上に塵埃が堆積すると、第２の導光片８３から導かれた赤外線（図４中、２点鎖線の矢印にて示す）が同塵埃により遮られ、フォトトランジスタ５５ｂに入光する赤外線の光量が低下する。その結果、フォトトランジスタ５５ｂに流れる電流量も低下し、それがマイコン３０により検知されるのである。
【００２６】
（４）ビデオ一体型テレビジョン装置の動作
以下、ビデオ一体型テレビジョン装置１０による内部の塵埃の堆積の検知および、塵埃の堆積の報知にかかる動作について説明する。実施形態にかかるビデオ一体型テレビジョン装置１０では、第２の導光片８３により導かれた赤外線が、塵埃堆積シ−ト５７上に堆積している塵埃により遮られ、フォトトランジスタ５５ｂの電流量が一定基準まで低下したことがマイコン３０により検知されると、ＥＥＰＲＯＭ３２に記憶されている塵埃堆積警告画像デ−タ３２ａに基づいて、塵埃堆積警告画像を表示させる。図５は、上記塵埃堆積警告画像の一例を示す図である。同図において、ビデオ一体型テレビジョン装置１０の内部に塵埃が堆積している虞があり、内部の清掃を推奨する旨を示す画像が表示されている。
【００２７】
そして、上述した塵埃堆積警告画像が表示されてから、マイコン３０により塵埃の堆積が検知された状態が所定期間（例えば、２０間）継続すると、ＥＥＰＲＯＭ３２に記憶されている電源オフ予告画像デ−タ３２ｂに基づいて、電源オフ予告画像を表示させる。図６は、上記電源オフ予告画像の一例を示す図である。同図において、所定期間（１０日）後にビデオ一体型テレビジョン装置１０の本体の電源が入らなくなるとともに、内部の清掃が行われて堆積した塵埃が取り除かれるまで、本体の電源を入れることができない旨を示す画像が表示されている。
【００２８】
上述した電源オフ予告画像が表示されてから、上記所定期間（１０日）経過すると、ビデオ一体型テレビジョン装置１０の本体の電源が入らなくなる制御が行われる。この制御は、本体内部に堆積した塵埃が取り除かれ、塵埃検知センサ５５により塵埃が検知されなくなったとき、すなわち、マイコン３０によりフォトトランジスタ５５ｂの電流量が一定基準を上回ったと判断されたときに解除される。
【００２９】
（５）各種変形例：
上述した実施形態では、ビデオ一体型テレビジョン装置がチュ−ナを備えており、放送局からのテレビジョン放送信号を受信し、同テレビジョン放送信号に基づく映像信号を録画することができるように構成されている場合について説明したが、本発明にかかるビデオテ−プは、必ずしも上述したチュ−ナを備えている必要はなく、単に、ビデオテ−プを再生する機能のみを有するものであってもよい。また、ディスプレイを具備するビデオ一体型テレビジョン装置である必要はなく、ビデオデッキにも本発明を適用することが可能である。
【００３０】
さらに、本発明では、内部に状態検知用のセンサを構成する発光部を具備し、この発光部を、塵埃堆積検知用センサの発光部として兼用することが可能であれば、適用される電気機器を限定するものではない。すなわち、内部に赤外線の発光部を有する電気機器であれば、どのような電気機器にも本発明を適用することが可能であり、例えば、ＤＶＤプレ−ヤ、ＤＶＤプレ−ヤ一体型テレビジョン装置、ＣＤプレ−ヤ等、各種の電気機器に本発明を適用することが可能である。
【００３１】
以上、説明したように、実施形態にかかるビデオ一体型テレビジョン装置１０によれば、リ−ルの回転を検知するリ−ルセンサ５０を構成する発光部である赤外線ＬＥＤ５０ａからの赤外線を、塵埃検知センサ５５を構成する第１の受光部であるフォトトランジスタ５５ｂに導く導光部８０が設けられており、導光部８０によりフォトトランジスタ５５ｂに導かれる赤外線が堆積した塵埃により遮断されたときに、所定の警告を行うように構成されているため、リ−ルセンサ５０の赤外線ＬＥＤ５０ａを塵埃検知センサ５５の発光部として兼用することが可能となる。その結果、部品点数を削減することができるとともに、塵埃の堆積を報知することができるため、安全性に優れたものとなる。
【図面の簡単な説明】
【００３２】
【図１】実施形態にかかるビデオ一体型テレビジョン装置の外観図である。
【図２】実施形態にかかるビデオ一体型テレビジョン装置の内部構成を示すブロック図である。
【図３】図２に示した赤外線ＬＥＤ、フォトトランジスタが基板上に配置されている様子を示す斜視図である。
【図４】フォトトランジスタ、および、これに載置されている塵埃堆積シ−トを示す図である。
【図５】塵埃堆積警告画像の一例を示す図である。
【図６】電源オフ予告画像の一例を示す図である。
【符号の説明】
【００３３】
１０…ビデオ一体型テレビジョン装置
１１…ディスプレイ
１２…挿入口
１３…操作パネル部
１４…スピ−カ
２０…チュ−ナ
３０…マイコン
３１…ＣＰＵ
３２…ＥＥＰＲＯＭ
３２ａ…塵埃堆積警告画像デ−タ
３２ｂ…電源オフ予告画像デ−タ
３３…ＲＡＭ
４０…信号系回路
４１…Ｄ／Ａ変換回路
５１…テ−プ駆動系回路
５０…リ−ルセンサ
５０ａ…赤外線ＬＥＤ
５０ｂ…フォトトランジスタ
５３…リモコン
５５…塵埃検知センサ
５５ｂ…フォトトランジスタ
６０…ヘッド系回路
７０…テ−プ駆動系回路
８０…導光部
８１…柱部
８２…第１の導光片
８３…第２の導光片
【図１】
2006191364.tif 000003
【図２】
2006191364.tif 000004
【図３】
2006191364.tif 000005
【図４】
2006191364.tif 000006
【図５】
2006191364.tif 000007
【図６】
2006191364.tif 000008